(57)【要約】　　　（修正有）　 【課題】　最適の浮力と表面積を得るために、外形の表面積または浮力を可変とする。 【解決手段】　浮子を上部と下部に分割し、上部と下部の結合の度合いを加減可能とする。内部に浸水可能な空洞を設け、空洞の浸水可能容量を加減可能とする。【選択図】 図１
2004097217.tif 000002
【特許請求の範囲】
【請求項１】
浮子を上部と下部に分割した上、螺合連結し、この連結内部を空洞にし、この空洞に水が出入りし、かつ浮子の上部と下部の結合の度合いを加減し浮力を一定にしたまま外形の表面積を可変することを特徴とする釣魚用浮子。 
【請求項２】
浮子の内部に略略密閉空洞を設け、該空洞に着水後徐々に浸水し浮力が減少、又はマイナスの浮力が増加することを特徴とする釣魚用浮子。 
【請求項３】
浮子を上部と下部に分割した上、嵌合し、内部を空洞にし、この空洞に浸水、排水可能な構造にし、かつ浮子の上部と下部を回転することにより浸水可能容量を加減し、浮子の外形を変えることなく浮力を連続的に増減することを特徴とする釣魚用浮子。
【発明の詳細な説明】
【技術分野】
【０００１】
　本発明は釣魚用の浮子に係わり、特に外形の表面積が可変または浮力を可変の浮子または、水中浮子に関する。 
【背景技術】
【０００２】
　図８の如く従来は、浮子の下方に一定の表面積で浮力がマイナスである水中浮子を釣り糸に付け、目的の棚に餌を沈め、かつ潮流に同調して流れるようにしている。潮流の早い時又は、２枚潮では水中浮子の浮力と外形の表面積を適度に調整しなければ魚のいるポイントの棚に餌を流すことができない。そこで、従来は最適の浮力と表面積を得るために、大きさと浮力の違う水中浮子を予め多数用意し状況に応じて選定交換した。一般的に潮流が早い時は潮の影響を少なくするために表面積が小さく、良く沈むマイナスの浮力の大きい浮子を使って目的の棚に沈める。また、反対に潮流が緩い時には外形の大きいマイナスの浮力が小さい水中浮子を使って潮流に同調させて餌を流す。水面上の浮子についてはマイナス浮力は一般的ではないがほぼ同様である。
【０００３】
　仕掛けを投入した直後、付け餌は途中につけた錘や水中浮子に比べては比較的密度が低いので遅れて沈み始めるので、水面に浮かんでいる浮子から下は錘を接点にして図８の如く釣糸は「レ」の字状になる。しばらく時間経過し錘と水中浮子が沈みきった後で、餌が遅れて沈下し、漸く釣糸は直線になる。特に水面の浮子を遊動仕掛けにした場合は、浮子止めが浮子に掛かって馴染むまでは「レ」の字状のまま沈下することが多い。これを軽減するため沈下の途中で竿を立てて仕掛けを引き寄せ、沈下しかけた水中浮子と錘を少し引き上げて直線に近づけていた。また、水面上の浮子を沈めて使ういわゆる沈め探り釣りの仕掛けについても同様、またはより以上この現象が生じる。
【０００４】
　第２４図と第２５図は従来からある浮力調整浮子である。浮子の上部と下部を螺合し、密閉嵌合した構造を具備し、これを回転させ、外形の体積が増減しても重量は変化しないので浮力が可変できる。　しかし頭部６ｑとカップ６ｒの連結嵌合部の円周に図の如く溝または、段差が発生するので若干なりとも海水の抵抗が増し、アタリの感度が低下する。
【特許文献１】特許第３２７３３６８号公報
【特許文献２】特許第３３００９１８号公報
【発明の開示】
【発明が解決しようとする課題】
【０００５】
　変化する潮流に同調させ、目的の棚に餌を沈めるために浮力と大きさの異なる複数の水中浮子を揃え持ち状況に応じてその都度交換していた。潮流は時々刻々変化するのに即時対応する必要があるが、時間と手間がかかりタイミングを逃す等問題であった。 
【０００６】
　図８の如く餌は錘や水中浮子に比べて遅れて沈み、仕掛けが沈下途中「レ」の字状の段階では魚が就餌しても水面の浮子にアタリが出ないことが多い。特に深場での遊動仕掛けを用いた釣りでは仕掛けが直線になるまで時間がかかり沈下中のアタリが取れない。たとえ就餌後餌をくわえて魚が走ったとしても遅れてアタリはでるので合わせられない。またそのため棚が推測しにくい。 
【０００７】
　第２４図と第２５図は従来からある浮力調整浮子である。頭部６ｑとカップ６ｒを回転すると、雄ネジ６ｑ１と雄ネジ部６ｒ２が螺合し頭部６ｑとカップ６ｒが離接し、空洞６ｒ３は図の如く増減する。空洞６ｒ３はＯリング６ｑ３とＯリング６ｒ１によって嵌合されているので浸水はない。外形の体積が増減しても重量は変化しないので浮力が可変できる。しかし頭部６ｑとカップ６ｒの連結嵌合部円周に図の如く溝が発生するので若干なりとも海水の抵抗があり、アタリの感度が低下する。 
【課題を解決するための手段】
【０００８】
　本発明は、図１の如く水中浮子を上部と下部に分割し両部分を結合し、１個の水中浮子とする構造を具備し、結合する度合いを変化させ、水中浮子の全体の表面積を可変とした。また、水中浮子の上下の結合の度合いによって生じる内部空洞に海水が出入りするよう空隙または穴を設ける。従って、結合の度合いを変化させても浮力が不変である。結合の度合いを可変にするため、上部と下部を螺合して回転することで連続的に表面積を可変とした。これにより潮流等の状況に応じてポイントに餌を到達させることが容易になる。 
【０００９】
　また、本発明の水中浮子によれば、図１４の如くマイナスの浮力を増加するべく空洞部の下部に１個以上の錘を挿入する構造にすれば同一の水中浮子で浮力が可変できる。またマイナスの浮力を減少するには密度が１以下の軽いフロートを内部の空洞部に挿入すれば同様に浮力を増加（マイナス浮力を減少）が可変できる。 
【００１０】
　一方、水中浮子の内部を略略密閉した空洞にし、外部とこの空洞に連結する細孔を設け、着水後から徐々に海水が内部の空洞に侵入し、それに応じて浮力が減少し（マイナス浮力が増加し）水中浮子自身が遅れて沈下し始め、仕掛けが略略直線になってから仕掛け全体が沈む。従って仕掛けが「レ」の字状になる時間が短くなる。遊動仕掛での沈下の途中でも仕掛けが直線状になり、遊動している道糸と浮子の状態を見てアタリが解るので棚の推測ができ、その結果、浮子止めを再度調整して棚に仕掛けを合わせることが可能となる。
【００１１】
　第２２図の如く上部と下部に分割した浮子を回転することによって、内部の摺動子６ｐが回転上下し、浮子内部の空洞６ｎ５が増減する。空洞６ｎ６ｍはＯリングによって密閉されているので浸水はない。空洞６ｎ５はカップ６ｎ下部の雄ネジ部６ｎ２から浸水する。この空洞６ｎ５の浸水可能容量を制御することにより、浮子全体の浮力が調整可能となる。本発明の浮力調整浮子は浸水可能容量を制御するだけで外形が変化することなく浮力のみ可変可能である。
【発明の効果】
【００１２】
　本発明の釣魚用水中浮子によれば、図１の如くトップ９aとボトム９ｂを把握し時計方向又は反時計方向に回転することによりトップ９aとボトム９ｂが離接し、その結果水中浮子全体の表面積が増減し潮流との同調が加減できる。 
　本発明の釣魚用浮子では、一個の浮子で素早く微妙な調整ができ潮流等の海の状況に応じて餌を魚のポイントに的確に届けることが可能になり釣果アップが期待できる。 
【００１３】
　また、図１の如く水中浮子の内部を略略密閉空洞にし、細管を通じて着水後から徐々に海水が内部の空洞に侵入し、それに応じて浮力が減少し（マイナス浮力が増加し）水中浮子自身が遅れて沈下し始める。従って仕掛けと餌が直線的になり「レ」の字状になる時間が短くなる。仕掛けが沈下の途中でもアタリが出るし、遊動している道糸と浮子の状態をみて棚の推測ができ、浮子止めを再度調整してより的確に棚に仕掛けを合わせることも可能となる。 
【００１４】
　図２２、図２３、図２６〜２８の如く本発明の浮力調整浮子は浮力可変しても外形が変化することなく、また水の抵抗も少なく、浮力のみ可変可能である。しかも着水後から徐々に海水が内部の空洞に侵入し、それに応じて浮力が減少する。これによて一個の浮子で素早く微妙な調整ができ潮流等の海の状況に応じて餌を魚のポイントに的確に届けることが可能になり釣果アップが期待できる。 
【発明を実施するための最良の形態】
【００１５】
　以下、本発明の釣魚用浮子を図面について詳記する。図７、８、９は水中浮子を用いた本発明の説明に用いる従来からある仕掛けの図である。図１，２，３，４，５，６，９，１０，１１，１２，１３，１４，１５，１６，１７，１８、１９，２０、２１、２２，２３、２６，２７，２８，２８は本発明による釣魚用水中浮子の図である。図２４、２５は従来からある浮力調整浮子である。 
【００１６】
　先ず図７は上物釣りと言われる一般的な仕掛けの全体図である。釣竿１につけたリール２からガイド３を通し、釣糸５に浮子６を通し、その先に水中浮子９よりもどし１０と錘７と釣餌８がある。この水中浮子９は図９のように細い貫通孔９１を釣り糸５が貫通してスライドすることができ、水中浮子は密度が１以上つまり海水より密度が大きいので沈み、よりもどし１０までスライドする。遊動仕掛では浮子は水面にあり、釣糸５は浮子６の貫通孔６１をスライドし水中浮子９以下の仕掛けが沈下し、浮子止め４が浮子６に引っかかり停止する。 
しかし、浮子６、水中浮子９、錘７の大きさ、および重量と潮流の早さと釣糸の張り方等のバランスにより仕掛けが水中で斜めになるか、垂直になるかが決まる。潮流が早いか、釣り糸の張力が大きいか、仕掛けが軽すぎるかで仕掛けが大きく斜めになったままの状態になる。その反対の時は垂直に近く垂れたままで潮流に同調しにくい。従って、目的の棚に餌を届けるには潮流の状況に応じて適度のマイナス浮力と外形の表面積の水中浮子を選択使用する必要がある。 
【００１７】
　図５と図６は本発明による水中浮子９を側面から見た外観図である。水中浮子９のトップ（上部）９ａとボトム（下部）９ｂが螺合されたまま離接し、水中浮子９の表面積が増減する。 
【００１８】
　図１、図２は本発明の水中浮子のトップ９aとボトム９ｂを結合した断面図である。図１はトップ９aとボトム９ｂを離した図で、図２は接した図である。　図３はトップ９aの図で、図４はボトム９ｂの図である。頭部９ａ１は桐やバルサ材等の密度１以下の軽い部材で構成し、主に浮力を発生する。トップ９aの中空の雄ネジ９ａ２はトップ６a 
の頭部９ａ１に埋め込まれ固定される。一方図４のボトム９ｂのカップ９ｂ１は水中浮子９全体の重心を下方に持たせるため密度１以上の材料で構成する。雌ネジ９ｂ２はボトム９ｂの中心下方に固定する。トップ９aの頭部９ａ１とボトム９ｂのカップ９ｂ１とボトム９ｂのカップ９ｂ１は半径が異なるのでは海水が自由に出入りできる空隙９ｂ５がある。結合の度合いを調整するため、トップ９aに設けた雄ネジ９ａ２とボトム９ｂに設けた雌ネジ９ｂ２とを螺合させ、トップ９aとボトム９ｂを両手で回転することによってトップ９aとボトム９ｂが離接する。その結果浮子全体の表面積が増減し潮流との同調が加減できる。 
【００１９】
　一方、図１のボトム９ｂの内部に略略密閉された空洞９ｂ５が構成される。着水時に細孔９ｂ６からは海水が侵入し細孔９ｂ７からは空気が排出され、徐々に浮力が減少する。着水直後は水中浮子の浮力は略略０か若干プラスにしておき、海水が侵入してくるに従ってマイナスの浮力になる様設定しておけば徐々に沈下する。従って、仕掛け全体が直線になって沈下し、途中でもアタリが取れる。仕掛けを海水から引き上げると空洞９ｂ５中の海水は下部の細孔９ｂ６または９ｂ７から排出し、元の状態に戻る。 
【００２０】
　図１０、図１１は外形の表面積のみを可変とした各実施例である。図１０は図１からボトムの空洞９ｂ５を除き表面積のみ可変にした一実施例である。同じく図１１はカップ９ａ１周辺にOリング９ａ１を取り付けぐらつきをなくし回転に適度の抵抗を持たせ嵌合させた一実施例である。海水の出入りは細孔９ｂ８、細孔９ｂ９で行う。 
【００２１】
　図１２は表面積を可変とした上に、更に機能を追加した一実施例である。カップ９ｂ１に１個以上の凹みを設け錘９ｂをはめこんで浮力を減少し、また頭部９ａ１に同様にして密度が１以下の軽いフロート９ａ５はめ込んで浮力を増加する物である。 
【００２２】
　図１３、図１４、図１５、図１８は着水後の浮力のみを可変とした実施例である。図１３は空洞９ｄ３中の細管９ｅに細孔９ｅ２と細孔９ｅ３を設け海水の侵入、排出するようにした。 
同じく、図１４はカップ９ｊに細孔９ｊ１と細孔９ｊ２を設け海水の侵入と空気の排出をするようにした。また図１５は細管９ｇ１と細管９ｆ２をそれぞれ頭部９ｃとカップ９ｆ中に固定し、拡大図図１６、図１７の如く両端に極小のリング９ｇ３と９ｆ３を固定して海水の侵入をコントロールしたものである。細管９ｇ４と９ｆ４を通って空洞９ｄ３への海水の進入と空気の排気が行われる。釣糸はこのリング９ｇ３と９ｆ３を通るので，リング内部を常に洗浄できる特徴がある。 
【００２３】
　更に、図１８は海水が通る細孔の大きさを可変にし海の状況に応じて沈下をコントロールするものである。頭部９ｈとカップ９ｉは連結部９ｈiの拡大図図２１のＯリング９i４を介して結合し回転可能になり、貫通する細管は細管９ｈ１と細管９ｉ１に分割され、図１９のごとくカップ９ｉの底部で嵌合する。細管９ｈ１と細管９ｉ１はそれぞれ斜嵌合部９ｈ３と９ｉ２が斜めにカットされ回転角度に応じて空隙９ｈ５の大きさが変化し、海水の侵入速度が変化する。図２１はトップ９ｈとカップ９ｉの連結部９ｊを拡大表示した。頭部９ｈは突起部９ｈ４がカップ９ｉの凹部９ｉ３に食い込み抜けずに回転可能になる。また連結部の境界に挿入したＯリング９i４にて封止密閉される。 
【００２４】
　第２２図、第２３図は本発明による浮力調整が可能な浮子である。 
　第２２図の頭部６ｍとカップ６ｎをそれぞれ右手と左手で持ち回転させると、ピン６ｍ３を通して摺動子６ｐが回転し、摺動子６ｐの下部の雄ねじがカップ６ｎ下部の雌ネジ部６ｎ２の螺合により上下する。それにより、上部空洞６ｎ６と下部空洞６ｎ５の容量は相反して増減する。下部空洞６ｎ５は着水後、下部の雌ネジ部６ｎ２から浸水し徐々に満水になる。この時、細孔６ｐ４から排気される。　一方、上部空洞６ｎ６はＯリング６ｎ４、Ｏリング６ｍ４、Ｏリング６ｐ２により密閉され浸水はない。従って、摺動子６ｐの位置によって浸水可能容量が可変され、浮子全体の浮力が調整可能となる。第２２図は浮力が増した図であり、第２３図は浮力が減じた図である。また、下部空洞６ｎ５の浸水と排気のための構造は図１、図１４、図１５、図１６、図１８が適用できる。 
【００２５】
　同じく図２６は摺動子６ｓをボトム６ｎの下方から回転箇所６ｓ１をドライバー又は６角レンチ等で回転せしめ、上記と同様に外形を変えずに浮力を調整可能としたものである。また、図２７は同じくウキのトップ方向から回転箇所６ｔ１または６ｔ２を回転せしめ調整可能にした。図２６、図２７ではトップまたはボトムを回転せずに構造を簡単にした。
【００２６】
　図２８は前記の浮力調整ウキを夜釣り用にも使用可能にしたものである。トップに発光素子（ケミホタル）挿入孔６v７とOリング６v４を設け発光素子１１を挿入し、ボトム６ｎの下部から突き出た摺動子６uのスナップ付よりもどし取り付け孔６u１の貫通孔にスナップ付よりもどし１０を取り付け夜釣りとした。　発光素子１１の太さとOリング６v４の寸法とを適度に設定すれば交換可能になりまた使用中に抜けない。同じウキを昼用にするには発光素子１１とスナップ付よりもどし１０を取り外し中通しウキに使用可能となる。回転箇所６u２にて同様に回転させ浮力を調整する。この場合、中央の細管６ｖ１と発光素子挿入孔６ｖ３を取り除くと環付きの浮力調整円錐浮子となり、構造が簡単なものになる。 
【００２７】
　図２９は前記の夜釣り用の浮子の構造を利用して浮力調整可能な棒浮子に応用したものである。図２８の発光素子挿入孔６v３に細トップ１２を挿入し、更にの摺動子６uの下部に図２９の如く細棒１４を取り付けその下部に下部錘１５を付けて安定化しスナップ付よりもどし１０を付けて道糸を通す。細トップ１２の先端部のみ太さの異なるものを複数準備すれば状況に応じ感度も加減可能となる。 
【図面の簡単な説明】
【００２８】
【図１】本発明による浮子全体の断面図である。
【図２】本発明による浮子全体の断面図である。
【図３】本発明による浮子のトップ断面図である。
【図４】本発明による浮子ボトムの断面図である。
【図５】本発明による浮子全体の図１の外観図である。
【図６】本発明による浮子全体のず２の外観図である。
【図７】一般的なふかせ釣りの仕掛けの全体図である。
【図８】一般的なふかせ釣りの仕掛けの沈下中の水中の図である。
【図９】一般的なふかせ釣りの浮子と水中浮子の図である。
【図１０】本発明による浮子の一実施例の断面図である。
【図１１】本発明による浮子の一実施例の断面図である。
【図１２】本発明による浮子の一実施例の断面図である。
【図１３】本発明による浮子の一実施例の断面図である。
【図１４】本発明による浮子の一実施例の断面図である。
【図１５】本発明による浮子の一実施例の断面図である。
【図１６】図１５の細管上部の拡大図である。
【図１７】図１５の細管下部の拡大図である。
【図１８】本発明による浮子の一実施例の断面図である。
【図１９】図１８の細管上部の拡大図である。
【図２０】図１８の細管下部の拡大図である。
【図２１】図１８の連結部分の拡大図である。
【図２２】本発明による浮力調整浮子全体の断面図である。
【図２３】本発明による浮力調整浮子全体の断面図である。
【図２４】従来からある例の浮力調整浮子全体の断面図である。
【図２５】従来からある例浮力調整の浮子全体の断面図である。
【図２６】本発明による浮子の一実施例の断面図である。
【図２７】本発明による浮子の一実施例の断面図である。
【図２８】本発明による浮子の一実施例の断面図である。
【図２９】本発明による浮子の一実施例の外観図である。
【符号の説明】
【００２９】
１　 　　　　　　釣竿 
２　　　　　　　リール 
３　　　　　　　ガイド 
４　　　　　　　浮子止め 
５　　　　　　　釣糸 
６　　　　　　　浮子 
７　　　　　　　錘 
８　　　　　　　釣針（餌） 
９　　　　　　　水中浮子 
９ａ　　　　　　トップ 
９ａ１、９ｃ、９ｈ、６ｍ、６ｑ　頭部　　　　　 
９ａ２、６ｑ１　　雄ネジ 
６１、９１、９ａ３、９ｅ１、９ｇ２、９ｈ２、９ｋ２、６ｍ，６ｑ２　貫通孔 
９ａ４、９i４、６ｎ４、６ｍ４、６ｐ２、６ｑ３、６ｒ１、６ｍ５、６ｍ８　　Ｏリング 
９ａ５　　　　　フロート 
９ｂ　　　　　　ボトム 
９ｂ１、９ｄ、９ｆ、９ｉ、９ｊ、６ｎ、６ｒ　カップ 
９ｂ２　　　　　雌ねじ 
９ｂ６、９ｂ７、９ｂ８、９ｂ９、９ｅ２、９ｅ３、９ｆ４、９ｇ４、９ｈ４、９ｊ１，９ｊ２、６ｐ４　　細孔 
９ｂ４、９ｄ３、９ｂ５、６ｎ５、６ｎ６、６ｒ３　空洞 
９ｅ、９ｇ１、９ｆ２、９ｈ１、９ｉ１、９ｋ１、６ｍ１　細管 
９ｂ５、９ｈ５　空隙 
９ｇ３、９ｆ３　リング 
９ｈi　　　　　 連結部 
９ｈ３、９ｉ２　斜嵌合部 
９ｈ４　　　　　突起部 
９ｉ３　　　　　凹部 
６ｐ、６ｓ、６ｔ、６u　　　摺動子 
６ｐ１　　　　　摺動孔 
６ｍ３　　　　　ピン 
６ｐ３　　　　　ピン穴 
６ｎ３　　　　　連結溝 
６ｎ２、６ｒ２　雌ネジ部 
６ｎ６、６ｎ７　　上部空洞 
６ｎ５　　　　　下部空洞 
６ｍ６　　　　　カップ貫通孔 
６ｖ３　　　　　発光素子挿入孔 
６u１　　　　　スナップ付よりもどし取り付け孔 
６ｓ1、６ｔ１、６ｔ２、６u２　回転箇所 
１０　　　　　　スナップ付よりもどし 
１１　　　　　　発光素子 
１２　　　　　　細トップ 
１３　　　　　　喫水線 
１４　　　　　　細棒 
１５　　　　　　下部錘
【図１】
2004097217.tif 000003
【図２】
2004097217.tif 000004
【図３】
2004097217.tif 000005
【図４】
2004097217.tif 000006
【図５】
2004097217.tif 000007
【図６】
2004097217.tif 000008
【図７】
2004097217.tif 000009
【図８】
2004097217.tif 000010
【図９】
2004097217.tif 000011
【図１０】
2004097217.tif 000012
【図１１】
2004097217.tif 000013
【図１２】
2004097217.tif 000014
【図１３】
2004097217.tif 000015
【図１４】
2004097217.tif 000016
【図１５】
2004097217.tif 000017
【図１６】
2004097217.tif 000018
【図１７】
2004097217.tif 000019
【図１８】
2004097217.tif 000020
【図１９】
2004097217.tif 000021
【図２０】
2004097217.tif 000022
【図２１】
2004097217.tif 000023
【図２２】
2004097217.tif 000024
【図２３】
2004097217.tif 000025
【図２４】
2004097217.tif 000026
【図２５】
2004097217.tif 000027
【図２６】
2004097217.tif 000028
【図２７】
2004097217.tif 000029
【図２８】
2004097217.tif 000030
【図２９】
2004097217.tif 000031